(57)【要約】【課題】  装置構成を簡単とし、ブランケットの巻き付け時に張力を容易に調節できるようにした印刷機を提供する。【解決手段】  本発明にかかる枚葉印刷機１は、周面にブランケット２９を巻きつけて保持するブランケット胴１９を有する枚葉印刷機１であって、ブランケット胴１９近傍の案内位置Ａに、ブランケット胴１９の軸線方向に延在して設置された軸部材４５が備えられていることを特徴とする。【選択図】      図１
2007296768.tif 000002
【特許請求の範囲】
【請求項１】
周面にブランケットを巻きつけて保持するブランケット胴を有する印刷機であって、
前記ブランケット胴近傍の第一取付位置に、前記ブランケット胴の軸線方向に延在して設置された軸部材が備えられていることを特徴とする印刷機。
【請求項２】
少なくとも前記軸部材の外周部は、回動可能とされていることを特徴とする請求項１に記載された印刷機。
【請求項３】
前記軸部材には、前記第一取付位置に取り付けられる取付軸と、該取付軸の周囲に回動可能に支持された案内部材とが備えられていることを特徴とする請求項１または請求項２に記載された印刷機。
【請求項４】
前記軸部材は、着脱可能に取り付けられることを特徴とする請求項１から請求項３のいずれかに記載された印刷機。
【請求項５】
前記軸部材は、前記第一取付位置よりも前記ブランケット胴から離隔した第二取付位置に着脱可能に取り付けられることを特徴とする請求項４に記載の印刷機。
【請求項６】
前記第二取付位置では、前記軸部材の外周部の回転が制限されるように取り付けられることを特徴とする請求項５に記載の印刷機。
【請求項７】
刷版が外周に巻回された版胴と、刷版上のインクが転写されるブランケットが外周に巻回されたブランケット胴と、当該版胴およびブランケット胴を回動可能に支持するフレームと、を有する印刷機であって、
前記ブランケット胴の回動軸線方向に沿った方向に設置される軸部材を有し、
前記フレームは、前記軸部材の少なくとも外周部が回動可能に固定される回動可能固定部と、前記軸部材の外周部が回動不能に固定される回動不能固定部と、を有することを特徴とする印刷機。
【発明の詳細な説明】
【技術分野】
【０００１】
本発明は、印刷機に関するものである。
【背景技術】
【０００２】
印刷機のブランケット胴には、版胴から画像が転写されるブランケットが巻きつけられて保持されている。
ブランケット胴の周面には、一対のゴム張り軸を備えたギャップがある。ブランケットの取り付けは、ブランケットの一端を一方のゴム張り軸に保持させ、ブランケット胴が回転することによってブランケット胴の表面に巻きつけられ、他端を他方のゴム張り軸に係合させる。
ブランケットを巻き付ける際、作業員がブランケットの他端を持って、かつ、ブランケットを手でブランケット胴へ押さえながら行っていたので、一人では作業が行えず、しかも、回転物に手が挟まれる危険性もあった。
また、作業中に安全装置に手が触れ、運転が停止されることがあった。
【０００３】
このような、作業員による作業を少なくするものとして、例えば、特許文献１および特許文献２のように、ブランケットの巻き付け中にブランケットをブランケット胴に押付けるローラを備え、巻き付け作業を略自動化したものが提案されている。
【０００４】
【特許文献１】特表２００６−５３３３７６号公報
【特許文献２】特開昭５９−２６２６５号公報
【発明の開示】
【発明が解決しようとする課題】
【０００５】
しかしながら、ブランケットは所定の張力を持つように巻き付けられる必要があるが、特許文献１および特許文献２に示されるものは、この調整を行うのが難しいという問題があった。
また、調節機構および移動機構を含めて構造が複雑で、高価となるという問題があった。
さらに、ブランケット胴の近くにローラが存在するので、ブランケットの清掃等の作業を行なうのに邪魔をするという問題があった。
【０００６】
本発明は、上記問題点に鑑み、装置構成を簡単とし、ブランケットの巻き付け時に張力を容易に調節できるようにした印刷機を提供することを目的とする。
また、本発明は、ブランケット胴等に対する作業を阻害することのないブランケットを案内する部材を備えた印刷機を提供することを目的とする。
【課題を解決するための手段】
【０００７】
上記課題を解決するために、本発明は以下の手段を採用する。
すなわち、本発明にかかる印刷機は、周面にブランケットを巻きつけて保持するブランケット胴を有する印刷機であって、前記ブランケット胴近傍の第一取付位置に、前記ブランケット胴の軸線方向に延在して設置された軸部材が備えられていることを特徴とする。
【０００８】
本発明にかかる印刷機では、ブランケットをブランケット胴に取付ける場合、ブランケットの一端部をブランケット胴に係合させた状態で、ブランケットをブランケット胴と軸部材との間に通す。そして、作業員がブランケットの他端を持って、ブランケット胴を回転させてブランケットを巻き付ける。
この時、軸部材がブランケットを案内するので、ブランケットの巻き付け姿勢を良好に保った状態でブランケット胴の回りに巻き付けすることができる。
また、作業員がブランケットの他端を引っ張ることによって所要の張力を持った状態で巻き付けることができるので、ブランケットの巻き付け張力を容易に調節することができる。
さらに、ブランケットを案内する軸部材を備えるだけであるので、装置構成が簡単で安価に製造することができる。
【０００９】
また、本発明にかかる印刷機では、少なくとも前記軸部材の外周部は、回動可能とされていることを特徴とする。
【００１０】
このように、少なくとも軸部材の外周部は、回動可能とされているので、ブランケットを案内する際、他端を引っ張っていたとしてもブランケットは軸部材によって滑らかに案内される。
ブランケットが滑らかに案内されると、ブランケットに無理な力が作用しないので、ブランケットが傷付く等の不具合を防止することができる。
【００１１】
この場合、前記軸部材には、前記第一取付位置に取り付けられる取付軸と、該取付軸の周囲に回動可能に支持された案内部材とが備えられていることが好適である。
このようにすると、運動しない取付軸を取り付けることによって軸部材が取り付けられるので、軸部材の取り付けを容易に行うことができる。
【００１２】
また、本発明にかかる印刷機では、前記軸部材は、着脱可能に取り付けられていることを特徴とする。
【００１３】
このように、軸部材は、着脱可能に取り付けられているので、ブランケットを清掃する等の作業を行なう場合には、軸部材を取り外すことができる。
軸部材を取り外すと、ブランケットに接近し易くなるので、ブランケットの清掃等の作業を阻害されることなく容易に行うことができる。
【００１４】
また、本発明にかかる印刷機では、前記軸部材は、前記第一取付位置よりも前記ブランケット胴から離隔した第二取付位置に着脱可能に取り付けられることを特徴とする。
【００１５】
このように、軸部材は、第一取付位置よりもブランケット胴から離隔した第二取付位置に着脱可能に取り付けられるので、ブランケットの取付作業を行わない場合には、軸部材を第二取付位置に取り付ける。
これにより、軸部材はブランケット胴周辺での作業に対して邪魔をすることがなくなる。
また、第二取付位置の適宜な設定によって、例えば、手すり等の他の用途に活用することができる。
【００１６】
また、本発明にかかる印刷機は、前記第二取付位置では、前記軸部材の外周部の回転が制限されるように取り付けられることを特徴とする。
【００１７】
このように、第二取付位置では、軸部材の外周部の回転が制限されるように取り付けられるので、軸部材の外周部は回転を行わず静止した状態で取り付けられることとなる。
このため、例えば、手すりとして用いる場合に、安全性を向上させることができる。
【００１８】
本発明にかかる印刷機は、刷版が外周に巻回された版胴と、刷版上のインクが転写されるブランケットが外周に巻回されたブランケット胴と、当該版胴およびブランケット胴を回動可能に支持するフレームと、を有する印刷機であって、前記ブランケット胴の回動軸線方向に沿った方向に設置される軸部材を有し、前記フレームは、前記軸部材の少なくとも外周部が回動可能に固定される回動可能固定部と、前記軸部材の外周部が回動不能に固定される回動不能固定部と、を有することを特徴とする。
【００１９】
本発明にかかる印刷機では、ブランケットをブランケット胴に取付ける場合、軸部材をフレームの回動可能固定部に取付けると、軸部材は少なくとも外周部が回動可能とされた状態で固定される。
ブランケットの一端部をブランケット胴に係合させた状態で、ブランケットをブランケット胴と軸部材との間に通し、作業員がブランケットの他端を持って、ブランケット胴を回転させてブランケットを巻き付ける。
この時、外周部が回動可能な軸部材がブランケットを案内するので、ブランケットは軸部材によって滑らかに案内され、かつ、ブランケットの巻き付け姿勢を良好に保った状態でブランケット胴の回りに巻き付けられる。
ブランケットが滑らかに案内されると、ブランケットに無理な力が作用しないので、ブランケットが傷付く等の不具合を防止することができる。
作業員がブランケットの他端を引っ張ることによって所要の張力を持った状態で巻き付けることができるので、ブランケットの巻き付け張力を容易に調節することができる。
また、ブランケットの取付作業を行わない場合、軸部材は回動可能固定部から回動不可能固定部に移動される。回動不可能固定部では、軸部材は外周部が回動不能に固定されるので、手すり等の他の用途に、安全に活用することができる。
さらに、ブランケットを案内する軸部材を備えるだけであるので、装置構成が簡単で安価に製造することができる。
【発明の効果】
【００２０】
本発明によれば、ブランケット胴近傍の第一取付位置に、ブランケット胴の軸線方向に延在して設置された軸部材が備えられているので、ブランケットの巻き付け姿勢を良好に保った状態でブランケット胴の回りに巻き付けすることができる。
また、作業員がブランケットの他端を引っ張ることによって所要の張力を持った状態で巻き付けることができるので、ブランケットの巻き付け張力を容易に調節することができる。
さらに、ブランケットを案内する軸部材を備えるだけであるので、装置構成が簡単で安価に製造することができる。
【発明を実施するための最良の形態】
【００２１】
以下に、本発明の一実施形態にかかる枚葉印刷機（印刷機）１について、図１〜図１４を用いて説明する。
図１は、枚葉印刷機１の全体概略構成を示す模式図である。
枚葉印刷機１は、被印刷物である枚葉紙が供給される上流側から下流側に向けて、給紙装置３と、複数の印刷ユニット５と、排紙装置７とが備えられている。
給紙装置３は、図示しない給紙機構によって給紙台１１の上に積層された枚葉紙９を上から順に一枚ずつ取上げて供給するものである。
給紙台１１は、給紙機構が枚葉紙９と略一定の位置関係を保つように枚葉紙９の供給に対応して上動するように構成されている。
【００２２】
印刷ユニット５は、印刷する色ごとに複数設けられている。本実施形態では、Ｃ（シアン），Ｍ（マゼンダ），Ｙ（イエロー）及びＢＬ（ブラック）からなる４色の色によって印刷する４色機が示されており、４つの印刷ユニット５が設けられている。
【００２３】
各印刷ユニット５には、インキを供給するインキ装置１３と、湿し水を供給する湿し装置１５と、これらインキ装置１３と湿し装置１５に対向配置された版胴１７と、この版胴１７に対向配置されたブランケット胴１９と、このブランケット胴１９に対向配置された圧胴２１と、各印刷ユニット５の圧胴２１間に配置される中間胴２３とが備えられている。これら各胴は、印刷機のフレーム（例えば後述する駆動側フレーム９１、操作側フレーム９３など）により回動可能に支持固定されている。
【００２４】
インキ装置１３は、複数のインキローラを備えており、インキが貯留されたインキ壺から順次インキを版胴１７側へと供給するようになっている。
湿し装置１５は、複数のローラを備えており、水舟に貯留された湿し水を版胴１３側へ供給するようになっている。
インキ装置１３および湿し装置１５は、印刷を行わない非印刷時等には、版胴１７から離間させられることができるように構成されている。
【００２５】
版胴１７は、印刷用画像が形成された刷版が外周に巻回された円筒状とされている。刷版は、印刷すべき画像毎に作成され、交換される。版胴１７は、図示していないが、外周の一部の角度範囲が軸線方向に切り欠かれた状態となっており、この位置に、刷版の上流端である版頭および刷版の下流端である版尻を掴んで固定する版締め装置が設けられている。
【００２６】
ブランケット胴１９は、版胴１７の刷版上のインキを受け取り、圧胴２１との間を通過する枚葉紙に対してインキを転移する（オフセット印刷）。ブランケット胴１９の外周には、弾性材料、例えばゴムで形成されたブランケット２９が巻回されている。
ブランケット胴１９は、図２に示されるように、外周の一部の角度範囲が軸線方向に切り欠かれた状態となっており、この位置に、ブランケット２９の上流端（一端）および下流端（他端）の取付部２９ａ，２９ｂを掴んで固定する一対のゴム張り軸２５，２７が設けられている。
ゴム張り軸２５，２７には、ブランケット２９の取付部２９ａ，２９ｂを受け入れ、係合する溝２６，２８が設けられている。ゴム張り軸２５，２７は、図示しない駆動源によって回動されるように構成されている。
ブランケット胴１９は、印刷を行わない非印刷時等には、版胴１７から離間させることができるように構成されている。
【００２７】
圧胴２１は、ブランケット胴１９に対向配置され、円筒状とされている。圧胴２１は、版胴１７およびブランケット胴１９の直径の２倍の直径を有する、いわゆる倍胴仕立てとされている。
圧胴２１の周面には、枚葉紙９の先端を保持する爪装置（図示省略）が軸線中心を挟んで２ヶ所に備えられている。圧胴２１は、印刷時に枚葉紙を介してブランケット胴１９に接触し、ブランケット胴１９との間に供給される枚葉紙９に対して所望の圧力を与える。これにより、ブランケット胴１９上のインキを枚葉紙上に転移させる。
【００２８】
中間胴２３は、各印刷ユニット５の圧胴２１間に設けられ、円筒状とされている。中間胴２３は、給紙装置３側のものを除いて版胴１７およびブランケット胴１９の直径の２倍の直径を有する、いわゆる倍胴仕立てとされている。
中間胴２３の周面には、枚葉紙９の先端を保持する爪装置（図示省略）が軸線中心を挟んで２ヶ所に備えられている。中間胴２３によって、上流側の圧胴２１から下流側の圧胴２１へと被印刷物が送られる。
【００２９】
上述のインキ装置１３、湿し装置１５、版胴１７、ブランケット胴１９、圧胴２１および中間胴２３は、それらの周速が略一致するように枚葉印刷機１に設けられた一つのメインモータ（図示せず）によって回転させられる。
つまり、メインモータからの回転力がギアを介して各部材に伝達されるようになっている。
【００３０】
排紙装置７には、チェーングリッパ３１と、排紙台３３とが備えられている。
チェーングリッパ３１は、最終の印刷ユニット５の圧胴２１に隣接する位置と排紙台３３の上方位置とを循環移動する一対のチェーンと、その間を連結するくわえ棒と、くわえ棒に所定間隔を空けて設置された爪装置と、を備え、圧胴２１から枚葉紙９を受取って排紙台３３の上方位置まで搬送するものである。
排紙台３３は、上下方向に移動可能に構成され、チェーングリッパ３１から排出される枚葉紙９を積層して保持する。
排紙台３３は、枚葉紙９の落下距離が略一定となるように徐々に下動するように制御されている。
【００３１】
版胴１７とブランケット胴１９との排紙装置７側には、両者の接触部近傍に安全装置３５が備えられている。
安全装置３５には、バー３７と、作動片３９と、リミットスイッチ４１とが備えられている。
バー３７は、版胴１７の軸線方向に略全長に亘り延在し、回転自在に取り付けられている。
【００３２】
作動片３９は、断面が略Ｌ字形をし、バー３７と略同等の長さを有する板状体である。作動片３９は、中間の曲折部がバー３７に固定して取り付けられ、両側の自由端がそれぞれ版胴１７およびブランケット胴１９との間隔を塞ぐようにされている。
リミットスイッチ４１はバー３７の端部に設置されている。リミットスイッチ４１の検知部は、バー３７に設けられた溝に嵌合するように配置されている。
例えば、手等が作動片３９に当接し、バー３７が回転すると、リミットスイッチ４１がその回転を検知し、枚葉印刷機１の駆動を停止し、版胴１７とブランケット胴１９との間に手等が巻き込まれるのを防止するものである。
【００３３】
安全装置３５の下方で、ブランケット胴１９に近い案内位置（第一取付位置）Ａには、案内装置４３が設置されている。
案内装置４３には、軸部材４５と、操作側取付部材４７と、駆動側取付部材４９と、が備えられている。ここで、後に詳述するが、操作側取付部材４７と駆動側取付部材４９は、軸部材４５をゴム胴１９の回動軸線方向に沿った方向に設置するとともに、軸部材４５の少なくとも外周部を回動可能に固定する回動可能固定部として機能する。
安全装置３５の排紙装置７側に離隔した手すり位置（第二取付位置）Ｂには、手すり装置５１が設置されている。
手すり装置５１には、軸部材４５と、操作側保持部材５３と、駆動側保持部材５５と、が備えられている。ここで、後に詳述するが、操作側保持部材５３と駆動側保持部材５５は、軸部材４５をゴム胴１９の回動軸線方向に沿った方向に設置するとともに、軸部材４５の少なくとも外周部を回動不能に固定する回動不能固定部として機能する。
【００３４】
軸部材４５は、案内装置４３および手すり装置５１で共通に用いられており、一方で用いられる場合には、他方から取り外して用いられるように構成されている。
軸部材４５について、図３〜図７によって説明する。
図３は軸部材４５の全体概略構成を示す平面図である。
軸部材４５には、取付軸５７と、案内部材５９と、圧縮バネ６１と、操作側ピン６３と、駆動側第一ピン６５と、駆動側第二ピン６７とが備えられている。
取付軸５７は、図４に示されるように、円筒形状をした細長い棒状体であり、一端側にピン孔６９が、他端近傍に間隔をあけて２つのピン孔７１，７３が中心部を貫通するように設けられている。
【００３５】
案内部材５９は、中空円筒形状をした長尺体である。案内部材５９の中空部７５は、取付軸５７が挿入できる大きさに構成されている。案内部材５９の長さは、取付軸５７のピン孔６９とピン孔７３との間隔よりも小さくされている。
案内部材５９の両端部には、周方向に等間隔に４箇所の面取部７７が形成されている。対向する面取部７７の面は略平行とされている。
操作側ピン６３、駆動側第一ピン６５および駆動側第二ピン６７は、スプリングピンであり、それぞれピン孔６９，７１，７３に装着される。
【００３６】
軸部材４５は次のようにして組立てられる。
案内部材５９の中空部７５に取付軸５７が貫通するように挿入される。案内部材５９は取付軸５７の回りに回動自在に保持されることになる。
取付軸５７の駆動側に圧縮バネ６１が嵌合される。この状態で、ピン孔６９に操作側ピン６３が、ピン孔７１に駆動側第一ピン６５が、ピン孔７３に駆動側第二ピン６７が装着されることによって、案内部材５９および圧縮バネ６１は抜け落ちないようにされる。（図３参照）
【００３７】
手すり装置５１について、図８〜図１０により説明する。
駆動側保持部材５５は、保持部７９と、支持部８１とで構成されている。
保持部７９は略円筒形状をした棒状体である。保持部７９の一端側には、周面および端面に開口するように断面が略Ｕ字形状をした保持溝８３が設けられている。保持溝８３の幅は、対向する面取部７７の間隔と略同等とされている。
保持溝８３の他端側の面には、保持部７９と略同一軸線中心を有する保持穴８５が掘設されている。保持穴８５の直径は、圧縮バネ６１の直径よりも大きく形成されている。
保持穴８５の他端側の面には、保持部７９と略同一軸線中心で、取付軸５７と略同径の調整穴８７が掘設されている。
【００３８】
支持部８１は、矩形状の一つの角部が切りかかれた形状をした板部材で、一面が保持部７９の軸線方向と略直交するように保持部７９の他端（保持溝８３の設けられている方と反対側の端）に固定して取り付けられている。
支持部８１の角部には、厚さ方向に貫通した貫通孔８９が設けられている。支持部８１は保持溝８３の周面開口部が上を向くようにして貫通孔８９を貫通するボルトによって駆動側フレーム９１に固定して取り付けられる。（図２参照）
操作側保持部材５３は、調整穴８７が設けられていない点を除けば駆動側保持部材５５と略同様に構成され、操作側フレーム９３に取り付けられている。
【００３９】
操作側保持部材５３と駆動側保持部材５５との向かい合う端面同士の間隔は、案内部材５９の長さよりも短く、両端部の面取部７７，７７の内側端間との長さよりも長く設定されている。
対向する面取部７７，７７の面が上下方向になるようにして軸部材４５の駆動側を駆動側保持部材５５の保持溝８３に嵌合させ、取付軸５７の端部を若干調整穴８７に挿入するようにする。
この状態で軸部材４５の操作側を操作側保持部材５３の保持溝８３に嵌合させると、圧縮バネ６１によって案内部材５９は操作側保持部材に押圧され、手すり装置５１が形成される。
対向する面取部７７，７７の面が保持溝８３の内面に略隙間なく嵌合されているので、案内部材５９は、回転を行うことができない。
【００４０】
案内装置４３について図１１〜図１３により説明する。
操作側取付部材４７および駆動側取付部材４９は略同じ構成であるので、ここでは主として駆動側取付部材４９について説明する。
駆動側取付部材４９は、支持部９５と、取付部９７とで構成されている。
支持部９５は、略直方体で、一端部が駆動側フレーム９１（操作側取付部材４７では操作側フレーム９３）に固定され、内側に向けて延在するように設置されている。
取付部９７は、矩形状をした板部材で、厚さ部が支持部９５の他端部（内側端部）に固定して取り付けられている。取付部９７には、厚さ方向に貫通した貫通孔９９が設けられている。貫通孔９９の直径は、取付軸５７の直径よりも若干大きくされている。
【００４１】
操作側取付部材４７の取付部９７および駆動側取付部材４９の取付部９７は、面が対向して配置され、間隔が取付軸５７の長さよりも若干長くなるようにされている。
軸部材４５（取付軸５７）の駆動側を駆動側取付部材４９の取付部９７の貫通孔９９に挿入して押し込み、取付軸５７の操作側を操作側取付部材４７の取付部９７の貫通孔９９に対向する位置に位置させる。
この状態で手を離すと、圧縮バネ６１によって軸部材４５は操作側に押され、操作側ピン６３が操作側取付部材４７の取付部９７に係合する位置で停止する。
このようにして、軸部材４５の取付軸５７は駆動側取付部材４９の取付部９７および操作側取付部材４７の取付部９７に取り付けられる。
この時、案内部材５９は、何者にも制約されていないので、取付軸５７の周りを回転することができる。
【００４２】
以上、説明した本実施形態にかかる枚葉印刷機１の動作について説明する。
まず、枚葉印刷機１の印刷動作について説明する。
給紙装置３の給紙台１１に積載された厚い枚葉紙９は、図示しない給紙機構によって最上部から１枚ずつ取り出され、印刷ユニット５に供給される。
供給された枚葉紙９は、印刷ユニット５の中間胴２３の爪装置によってくわえられ、次いで中間胴２３から圧胴２１へくわえ替えされる。これを繰り返して４つの印刷ユニット５を通して搬送される。
【００４３】
各印刷ユニット５では、版胴１７の周面に取付けられた刷版の非画線部に湿し装置１５から水が供給され、次いで刷版の画線部にインキ供給装置１３からインキが供給される。
これにより得られる刷版上の印刷画像がブランケット胴１９に転写される。
ブランケット胴１９に転写された印刷画像は、圧胴２１によって運ばれる枚葉紙９に転写され、１色の印刷が行われる。
これが各印刷ユニット５で繰り返されカラー印刷される。
【００４４】
カラー印刷された枚葉紙９は最後の印刷ユニット５の圧胴２１からチェーングリッパ３１の爪装置にくわえ替えされる。
チェーングリッパ３１で搬送される枚葉紙９は、排紙台３３の上方でくわえを外され、落下し、排紙台３３上に積み上げられる。
このとき、未乾燥のインキが上側の枚葉紙９の裏に写るのを防止するため、枚葉紙９の上にパウダが噴霧される。
【００４５】
ブランケット２９は、適宜交換される。古いブランケット２９を取り外し、新しいブランケット２９をブランケット胴１９に取付ける場合について図１４を参照して説明する。
この場合、ブランケット胴１９は胴抜きされ版胴１７および圧胴２１から離間された状態で作業が行われる。
まず、軸部材４５を手すり装置５１から外し、上述したようにして操作側取付部材４７と駆動側取付部材４９とに取り付け、案内装置４３を形成する。
ブランケット胴１９のゴム張り軸２５が排紙装置７側に位置しているところでブランケット胴を停止させ、新しいブランケット２９をブランケット胴１９の排紙装置７側に搬入する。
【００４６】
ブランケット２９の取付部２９ａをゴム張り軸２５の溝２６に挿入して係合させ、取り付ける。
この状態で、ブランケット２９の他端部（取付部２９ｂ側）を保持し、ブランケット胴１９を図１４において時計回り方向にゆっくりと回転させると、ブランケット２９はブランケット胴１９の回りに巻き付けられる。この時、ブランケット２９は、ブランケット胴１９と軸部材４５との間を通り、図１４に示されるように軸部材４５に案内されて移動する。
【００４７】
このように、軸部材４５がブランケット２９を案内するので、ブランケット２９の巻き付け姿勢がピンと展ばされてブランケット胴１９の回りに巻き付けられる。
この時、軸部材４５の案内部材５９が回転されつつブランケット２９が案内されるので、ブランケット２９は軸部材４５によって滑らかに案内される。
ブランケット２９が滑らかに案内されると、軸部材４５によってブランケット２９に無理な力が作用しないので、ブランケット２９が傷付く等の不具合を防止することができる。
【００４８】
また、作業員がブランケット２９の他端部を引っ張ることによってブランケット２９に所要の張力を与えることができるので、ブランケット２９の巻き付け張力を容易に調節することができる。
このようにして、ブランケット胴１９を略一周回転させて停止し、ブランケット２９の取付部２９ｂをゴム張り軸２７の溝２８に挿入して係合させ、取り付ける。
これで、ブランケット２９の取付作業が終了する。
【００４９】
ブランケット２９のブランケット胴１９への取り付けが終了したら、軸部材４５を案内装置４３から取外し、手すり装置５１に取付ける。
このように、ブランケット２９の装着時以外には軸部材４５は案内装置４３に取り付けられていないので、ブランケット胴１９への接近の邪魔をすることがない。
このため、例えば、ブランケット２９の手作業による清掃等の作業の場合、ブランケット２９に接近し易くなるので、作業を容易に行うことができる。
【００５０】
軸部材４５が手すり装置５１に装着されている場合には、案内部材５９が回転できないようにされているので、例えば、手すりとして用いる場合に、安全性を向上させることができる。
作業員は、この軸部材４５を握って、例えば、ブランケット２９の手作業による清掃等を安全に、かつ、容易に行うことができる。
さらに、ブランケット２９を案内する軸部材４５を備えるだけであるので、従来のブランケット２９をブランケット胴１９に押圧するものに比べて装置構成が簡単で安価に製造することができる。
【００５１】
なお、本実施形態では、軸部材４５は手すり装置５１に活用するようにされているが、これに限定されるものではなく、別の位置で活用するようにしてもよいし、別の活用をせず単に別置きするようにしてもよい。
また、案内装置４３に取り付けられた軸部材４５の周面は回転できるようにされているが、固定されたものでもよい。この場合、軸部材４５の周面は摩擦係数が小さくなるように構成されていた方が好ましい。
【００５２】
なお、本発明は本実施形態に限定されるものではなく、本発明の要旨を逸脱しない範囲内において適宜変更することができる。
また、本実施形態では、枚葉印刷機に適用しているが、本発明は輪転印刷機等適宜な形式の印刷機に適用することができる。
【図面の簡単な説明】
【００５３】
【図１】本発明の一実施形態にかかる枚葉印刷機の全体概略構成を示す正面図である。
【図２】本発明の一実施形態にかかる印刷ユニットのブランケット胴部分示す正面縦断面図である。
【図３】本発明の一実施形態にかかる軸部材の概略構造を示す平面図である。
【図４】本発明の一実施形態にかかる取付軸の概略構造を示す平面図である。
【図５】本発明の一実施形態にかかる案内部材の概略構造を示す平面図である。
【図６】図５の正面図である。
【図７】図５の側面図である。
【図８】本発明の一実施形態にかかる手すり装置の全体概略構造を示す平断面図である。
【図９】本発明の一実施形態にかかる駆動側保持部材の全体構造を示す正面図である。
【図１０】図９の左側面図である。
【図１１】本発明の一実施形態にかかる案内装置の全体概略構造を示す平面図である。
【図１２】本発明の一実施形態にかかる駆動側取付部材の全体構造を示す正面図である。
【図１３】図１２の平面図である。
【図１４】本発明の一実施形態にかかる案内装置の機能を説明する図２と同様部分を示す正面図である。
【符号の説明】
【００５４】
１  枚葉印刷機
１９  ブランケット胴
２９  ブランケット
４５  軸部材
５７  取付軸
５９  案内部材
Ａ  案内位置
Ｂ  手すり位置
【図１】
2007296768.tif 000003
【図２】
2007296768.tif 000004
【図３】
2007296768.tif 000005
【図４】
2007296768.tif 000006
【図５】
2007296768.tif 000007
【図６】
2007296768.tif 000008
【図７】
2007296768.tif 000009
【図８】
2007296768.tif 000010
【図９】
2007296768.tif 000011
【図１０】
2007296768.tif 000012
【図１１】
2007296768.tif 000013
【図１２】
2007296768.tif 000014
【図１３】
2007296768.tif 000015
【図１４】
2007296768.tif 000016